(57)【特許請求の範囲】
【請求項１】
有底略円筒形状のケースと、
略円筒形状の内筒と、
略円筒形状の濾材と、前記濾材の第１の端に設けられた第１の端部材と、を有するフィルタエレメントと、
を備え、
前記ケースの底面には、ツメが形成された略円筒形状の第１の受け部と、前記第１の受け部の外側に形成された第２の受け部と、が設けられ、
前記内筒には、前記ツメが嵌合する孔が形成され、
前記内筒が前記ケースに挿入されると、前記第１の受け部が前記内筒に沿って挿入され、かつ前記ツメが前記孔に嵌合して、前記内筒が前記ケースに取り付けられ、
前記フィルタエレメントが前記ケースの内部に挿入されると、前記内筒が前記濾材及び前記第１の端部材の内周面に沿って挿入され、前記第１の端部材が前記第２の受け部と前記内筒との間に挿入される
ことを特徴とするフィルタ装置。
【請求項２】
請求項１に記載のフィルタ装置であって、
前記ツメは、径方向外側に突出するように形成され、
前記第２の受け部は、前記第１の受け部の外側に、前記第１の受け部の直径より大きい直径かつ前記第１の受け部の高さより高い高さで形成された第１の筒部と、前記第１の筒部の前記ケースの底面と当接する側と反対側の端に形成された略円板形状のフランジ部と、前記フランジ部の外周面に沿って、前記第１の筒部が形成されていない側に突出するように、前記第１の筒部の直径より大きい直径で形成された第２の筒部と、を有し、
前記内筒は、前記第１の受け部と前記第１の筒部との間に挿入され、
前記第１の端部材は、前記第２の筒部の内周面に沿って挿入される
ことを特徴とするフィルタ装置。
【請求項３】
請求項１又は２に記載のフィルタ装置であって、
前記フィルタエレメントは、前記濾材の第１の端以外の端である第２の端に設けられた第２の端部材を有し、
前記内筒の外周面には、径方向外側に突出する突起が長手方向に沿って形成され、
前記第１の端部材及び前記第２の端部材には、前記突起と嵌合する凹部がそれぞれ形成される
ことを特徴とするフィルタ装置。
【請求項４】
請求項３に記載のフィルタ装置であって、
前記突起は、前記内筒の中心軸と直交する面において、
前記内筒の中心軸を通る第１の線上に、前記内筒の中心軸を挟んで反対側に形成される２つの第１の突起と、
前記内筒の中心軸を通り、前記第１の線と直交する第２の線上に形成される第２の突起と、
前記内筒の中心軸を中心に前記第２の線を第１の角度だけ回転させた第３の線上に、前記内筒の中心軸を挟んで前記第２の突起と反対側に形成される第３の突起と、を有する
ことを特徴とするフィルタ装置。
【請求項５】
請求項１から４のいずれか一項に記載のフィルタ装置であって、
前記第１の端部材及び前記第２の筒部の中心軸は、前記内筒及び前記第１の筒部の中心軸に対して半径方向に位置がずれている
ことを特徴とするフィルタ装置。
【発明の詳細な説明】
【技術分野】
【０００１】
本発明は、フィルタ装置に関する。
【背景技術】
【０００２】
特許文献１には、保持エレメントの少なくとも一つが、ネジ部の少なくとも一部を構成し、且つフィルターハウジングの長手方向軸線に対して同心である形状を有し、フィルタエレメントがその長手方向軸線のまわりにおける回転後、連動接続（インターロックコネクション）によって固定されるフィルタ装置が開示されている。
【先行技術文献】
【特許文献】
【０００３】
【特許文献１】特表２００５−５０２４５０号公報
【発明の概要】
【発明が解決しようとする課題】
【０００４】
特許文献１に記載の発明においては、ネジにより固定する部品はフィルタエレメントである。フィルタエレメントは取り外しが必要な部品であるため、特許文献１に記載のようにネジによりフィルターハウジング（以下、ケースという）へ取り付けることは適切である。しかしながら、フィルタ装置には、フィルタエレメント以外の部品であって、ケースから取り外されると性能に不具合が生ずるおそれがある部品も存在する。
【０００５】
ケースから取り外されると性能に不具合が生ずるおそれがある部品を、ネジによりケースに取り付ける場合には、仮に当該部品が仮にケースから取り外された場合には、フィルタ装置が正常に機能しないおそれがある。したがって、このような部品には、特許文献１に記載されている方法である、ネジにより固定するという方法を採用することはできない。
【０００６】
本発明はこのような事情に鑑みてなされたもので、ケースから取り外されると性能に不具合が生ずるおそれがある部品を、ケースへ容易に取り付けることができ、かつケースからの取り外しを防止することができるフィルタ装置を提供することを目的とする。
【課題を解決するための手段】
【０００７】
上記課題を解決するために、本発明に係るフィルタ装置は、例えば、有底略円筒形状のケースと、略円筒形状の内筒と、略円筒形状の濾材と、前記濾材の第１の端に設けられた第１の端部材と、を有するフィルタエレメントと、を備え、前記ケースの底面には、爪が形成された略円筒形状の第１の受け部と、前記第１の受け部の外側に形成された第２の受け部と、が設けられ、前記内筒には、前記ツメが嵌合する孔が形成され、前記内筒が前記ケースに挿入されると、前記第１の受け部が前記内筒に沿って挿入され、かつ前記ツメが前記孔に嵌合して、前記内筒が前記ケースに取り付けられ、前記フィルタエレメントが前記ケースの内部に挿入されると、前記内筒が前記濾材及び前記第１の端部材の内周面に沿って挿入され、前記第１の端部材が前記第２の受け部と前記内筒との間に挿入されることを特徴とする。
【０００８】
本発明に係るフィルタ装置によれば、略円筒形状の内筒がケースに挿入されると、ツメが形成された略円筒形状の第１の受け部が内筒に沿って挿入され、孔にツメが嵌合する。これにより、ケースへ部品（ここでは、内筒）を容易に取り付けることができる。また、孔にツメが嵌合しているため、ケースからの部品（ここでは、内筒）の取り外しを防止することができる。
【０００９】
ここで、前記ツメは、径方向外側に突出するように形成され、前記第２の受け部は、前記第１の受け部の外側に、前記第１の受け部の直径より大きい直径かつ前記第１の受け部の高さより高い高さで形成された第１の筒部と、前記第１の筒部の前記ケースの底面と当接する側と反対側の端に形成された略円板形状のフランジ部と、前記フランジ部の外周面に沿って、前記第１の筒部が形成されていない側に突出するように、前記第１の筒部の直径より大きい直径で形成された第２の筒部と、を有し、前記内筒は、前記第１の受け部と前記第１の筒部との間に挿入され、前記第１の端部材は、前記第２の筒部の内周面に沿って挿入されてもよい。このように、ツメ及び孔が第１の筒部及びフランジ部により覆われると、工具等でツメを押すことができなくなる。したがって、ケースから内筒が取り外せないようにすることができる。
【００１０】
ここで、前記フィルタエレメントは、前記濾材の第１の端以外の端である第２の端に設けられた第２の端部材を有し、前記内筒の外周面には、径方向外側に突出する突起が長手方向に沿って形成され、前記第１の端部材及び前記第２の端部材には、前記突起と嵌合する凹部がそれぞれ形成されてもよい。これにより、フィルタエレメントを内筒に対して、回転方向に位置決めすることができる。
【００１１】
ここで、前記突起は、前記内筒の中心軸と直交する面において、前記内筒の中心軸を通る第１の線上に、前記内筒の中心軸を挟んで反対側に形成される２つの第１の突起と、前記内筒の中心軸を通り、前記第１の線と直交する第２の線上に形成される第２の突起と、前記内筒の中心軸を中心に前記第２の線を第１の角度だけ回転させた第３の線上に、前記内筒の中心軸を挟んで前記第２の突起と反対側に形成される第３の突起と、を有してもよい。これにより、模造品が取り付けられないようにすることができる。
【００１２】
ここで、前記第１の端部材及び前記第２の筒部の中心軸は、前記内筒及び前記第１の筒部の中心軸に対して半径方向に位置がずれていてもよい。これにより、模造品が取り付けられないようにすることができる。
【発明の効果】
【００１３】
本発明によれば、ケースから取り外されると性能に不具合が生ずるおそれがある部品を、ケースへ容易に取り付けることができ、かつケースからの取り外しを防止することができる。
【図面の簡単な説明】
【００１４】
【図１】本発明の第１の実施の形態であるフィルタ装置１の概略を示す斜視図である。
【図２】ケース１１の底面１１ａに形成された受け部１１ｂ及び受け部１２を説明するための斜視図である。
【図３】内筒２０の概略を示す斜視図である。
【図４】内筒２０が受け部１１ｂと受け部１２との間、すなわちケース１１に設けられた状態を示す斜視図である。
【図５】図４に示す状態を＋ｚ方向から見た図である。
【図６】上端部材３２を濾材３１側（−ｚ側）から見た図である。
【図７】下端部材３３を濾材３１と反対側（−ｚ側）から見た図である。
【図８】フィルタ装置１の断面図である。
【図９】フィルタ装置１の断面図である。
【図１０】本発明の第２の実施の形態であるフィルタ装置２の概略を示す斜視図である。
【発明を実施するための形態】
【００１５】
以下、本発明の実施形態を、図面を参照して詳細に説明する。
【００１６】
＜第１の実施の形態＞
【００１７】
図１は、フィルタ装置１の概略を示す斜視図である。フィルタ装置１は、油等の液体を濾過するものであり、主として、ケース組立体１０と、内筒２０と、フィルタエレメント３０と、を有する。なお、図１においては、説明のため、フィルタ装置１をｙｚ平面で切断している。
【００１８】
ケース組立体１０は、主として、ケース１１と、受け部１２と、を有する。例えば、ケース１１は、金属製であり、受け部１２は樹脂（例えば、ＰＡ６）製である。
【００１９】
ケース１１は、底面１１ａを有する有底略円筒形状の部材である。底面１１ａには、内側（＋ｚ方向）に突出するように受け部１１ｂが形成される。なお、本実施の形態では、受け部１１ｂは底面１１ａに一体形成されるが、受け部１１ｂがケース１１と別部品であり、溶接等により受け部１１ｂを底面１１ａと一体としてもよい。
【００２０】
ケース１１の底面１１ａには、内側（＋ｚ方向）に突出するように受け部１２が形成される。本実施の形態では、ケース１１と受け部１２とは別部品であり、受け部１２が溶接等によりケース１１と一体とされているが、ケース１１と受け部１２とは一つの部品でも良い。
【００２１】
図２は、ケース１１の底面１１ａに形成された受け部１１ｂ及び受け部１２を説明するための斜視図である。図２においては、図１と同様に、ケース１１をｙｚ平面で切断している。
【００２２】
受け部１１ｂは、略円筒形状であり、対向する２箇所にツメ１１ｃが形成される。本実施の形態では、ツメ１１ｃは、＋ｙ方向の端及び−ｙ方向の端の２箇所に形成されるが、ツメ１１ｃの位置及び数はこれに限定されない。例えば、ツメ１１ｃを、６０度おきに３個設けてもよい。
【００２３】
ツメ１１ｃは、受け部１１ｂの外周面に、外側に向けて突出するように形成される。ツメ１１ｃのｘｙ平面における形状は、略三角形状である。ツメ１１ｃは、内筒２０が挿入される側と反対側、すなわち底面側（−ｚ側）に、ｘｙ平面と略平行な平面１１ｄを有する。
【００２４】
本実施の形態では、受け部１１ｂにはｘｚ平面と平行な平面１１ｅが形成され、平面１１ｅにツメ１１ｃが形成される。ただし、平面１１ｅは必須ではない。
【００２５】
受け部１２は、全体として略円筒形状であり、主として、筒部１２ａと、フランジ部１２ｂと、筒部１２ｃと、を有する。
【００２６】
筒部１２ａは、受け部１１ｂの外側に形成された略円筒形状の部材である。筒部１２ａの直径は、受け部１１ｂの直径より大きく、筒部１２ａの高さ（ｚ方向の高さ）は、受け部１１ｂの高さより高い。
【００２７】
フランジ部１２ｂは、筒部１２ａの＋ｚ側の端（底面１１ａと当接する側と反対側の端）に形成された略円板形状の部材である。フランジ部１２ｂの上面（＋ｚ側の面）は、ｘｙ平面と略平行である。フランジ部１２ｂの内周面は、筒部１２ａの内周面と同一平面である。フランジ部１２ｂの外周面は、筒部１２ｃの外周面と同一平面である。
【００２８】
フランジ部１２ｂの上面（＋ｚ側の面）には、内筒２０のフランジ部２３（後に詳述）が当接する凹部１２ｄが形成される。
【００２９】
筒部１２ｃは、フランジ部１２ｂの外周面に沿って、フランジ部１２ｂから＋ｚ方向（筒部１２ａが形成されていない側）に突出するように形成される。筒部１２ｃの直径は、筒部１２ａの直径より大きい。
【００３０】
図１の説明に戻る。内筒２０は、略円筒形状であり、濾過された液体が通過する多数の孔２０ａが形成される。本実施の形態では、内筒２０は樹脂製であるが、金属製でもよい。
【００３１】
図３は、内筒２０の概略を示す斜視図である。内筒２０は、全体として略円筒形状であり、主として、本体部２１と、円筒部２２と、フランジ部２３と、円筒部２４と、板部２５と、孔２６と、を有する。
【００３２】
本体部２１は、略円筒形状であり、孔２０ａが径方向に貫通するように複数形成される。また、本体部２１の外周面には、径方向外側に突出する突起２１ａ、２１ｂ、２１ｃ、２１ｄ（後に詳述）が長手方向に沿って形成される。
【００３３】
円筒部２２は、本体部２１の一端（ここでは、−ｚ側の端）に形成される略円筒形状の部材である。円筒部２２は、フィルタエレメント３０と当接する。
【００３４】
フランジ部２３は、円筒部２２の一端（ここでは、−ｚ側の端）に形成される略円板形状の部材である。フランジ部２３の下側（−ｚ側）の面である底面２３ａは、凹部１２ｄと当接する。
【００３５】
円筒部２４は、フランジ部２３の端面から、−ｚ方向に突出するように形成される略円筒形状の部材である。円筒部２４の内周面は、受け部１１ｂの外周面と当接する。
【００３６】
板部２５は、円筒部２４に隣接して設けられる。板部２５の内側の面は、平面１１ｅと当接する。また、板部２５には、内筒２０の中心軸Ａ１と直交する方向に沿って、孔２６が形成される。本実施の形態では、±ｙ方向に孔２６が形成される。
【００３７】
孔２６には、ツメ１１ｃが挿入される。孔２６は、板部２５の略中央、すなわち内筒２０の端部近傍に形成される。
【００３８】
図４は、内筒２０が受け部１１ｂと受け部１２との間、すなわちケース１１に設けられた状態を示す斜視図である。図４では、ケース１１の図示を省略している。
【００３９】
円筒部２４及び板部２５が受け部１１ｂと筒部１２ｃとの間に挿入されると（図４では図示せず。後に詳述）、フランジ部２３の底面２３ａが凹部１２ｄに当接し、ツメ１１ｃが孔２６に嵌合される（図４では図示せず。後に詳述）。これにより、内筒２０がケース１１に設けられる。
【００４０】
図５は、図４に示す、内筒２０がケース１１に設けられた状態を＋ｚ方向から見た図である。
【００４１】
突起２１ａ、２１ｂは、ｘｙ平面と略平行な面において、内筒２０の中心軸Ａ１を通り、ｙ方向と略平行な線ｙ１上に形成される。突起２１ａ、２１ｂは、中心軸Ａ１を挟んでそれぞれ反対側に形成される。
【００４２】
突起２１ｃは、ｘｙ平面と略平行な面において、内筒２０の中心軸Ａ１を通り、ｘ方向と略平行な線ｘ１上に形成される。
【００４３】
突起２１ｄは、ｘｙ平面と略平行な面において、線ｘ１を、中心軸Ａ１を中心に、＋ｚ方向から見て半時計回りに角度θだけ回転させた線ｘ２上に形成される。本実施の形態では、線ｘ１と線ｘ２とのなす角度θは略５度であるが、角度θはこれに限定されない。例えば、角度θは、１０度以下の任意の角度であればよい。
【００４４】
本体部２１及び円筒部２２は、内筒２０の中心軸Ａ１を中心とする。しかしながら、筒部１２ｃは、中心軸Ａ２を中心とする。中心軸Ａ２は、中心軸Ａ１に対して、半径方向、ここでは−ｘ方向に位置がずれている。
【００４５】
図１の説明に戻る。フィルタエレメント３０は、主として、濾材３１と、上端部材３２と、下端部材３３と、を有する。
【００４６】
濾材３１は、例えば、樹脂の薄板をプリーツ状に折り曲げて形成された略筒状の部材である。濾材３１の上端（＋ｚ側の端）には上端部材３２が設けられ、濾材３１の下端（−ｚ側の端）には下端部材３３が設けられる。上端部材３２及び下端部材３３は、樹脂製であり、濾材３１の内周面と外周面とを覆う略筒状のリブを有する。上端部材３２及び下端部材３３は、濾材３１の端部を覆うように設けられる。
【００４７】
図６は、上端部材３２を濾材３１側（−ｚ側）から見た図である。上端部材３２は、中心軸Ａ１を中心軸とする略円筒形状の部材である。上端部材３２には、突起２１ａ、２１ｂ、２１ｃ、２１ｄと嵌合する凹部３２ａ、３２ｂ、３２ｃ、３２ｄが形成される。
【００４８】
凹部３２ａ、３２ｂは、突起２１ａ、２１ｂと嵌合する。凹部３２ａ、３２ｂは、線ｙ１上に形成される。凹部３２ｃは、突起２１ｃと嵌合する。凹部３２ｃは、線ｘ１上に形成される。凹部３２ｄは、突起２１ｄと嵌合する。凹部３２ｄは線ｘ２上に形成される。線ｘ２は、−ｚ方向から見ると、中心軸Ａ１を中心に線ｘ１を時計回りに角度θだけ回転している。
【００４９】
図７は、下端部材３３を濾材３１と反対側（−ｚ側）から見た図である。下端部材３３は、主として、リブ３３Ａと、フランジ部３３Ｂと、を有する。
【００５０】
リブ３３Ａの内周面３３ｅは、中心軸Ａ１を中心とする略円筒面である。内周面３３ｅには、内筒２０の円筒部２２が挿入される。リブ３３Ａの外周面３３ｆは、中心軸Ａ２を中心軸とする略円筒面である。外周面３３ｆは、筒部１２ｃに挿入される。外周面３３ｆと同様に、濾材３１の外周面を覆う外周面３３ｇも中心軸Ａ２を中心軸とする略円筒面である。
【００５１】
下端部材３３には、突起２１ａ、２１ｂ、２１ｃ、２１ｄと嵌合する凹部３３ａ、３３ｂ、３３ｃ、３３ｄが形成される。ｘｙ平面と略平行な平面における、凹部３２ａ、３２ｂ、３２ｃ、３２ｄの位置と、凹部３３ａ、３３ｂ、３３ｃ、３３ｄの位置とは同一である。
【００５２】
次に、このように構成されたフィルタ装置１の組み立て及び作用について説明する。図８、９は、フィルタ装置１の断面図であり、内筒２０及びフィルタエレメント３０がケース組立体１０に取り付けられた部分（底面１１ａ近傍）を拡大して示す図である。図８は、ｘｚ平面における断面図であり、図９は、ｙｚ平面における断面図である。
【００５３】
まず、内筒２０を下方向（−ｚ方向）に移動させて、内筒２０が受け部１１ｂと受け部１２との間に挿入される。すると、円筒部２４が受け部１１ｂ及び筒部１２ａに沿って挿入され、板部２５が平面１１ｅに沿って挿入され、ツメ１１ｃが孔２６に嵌合される。これにより、内筒２０がケース１１すなわちケース組立体１０に取り付けられ、一体化される。
【００５４】
ツメ１１ｃは、−ｚ側に平面１１ｅを有する略三角柱形状であるため、内筒２０が受け部１１ｂと受け部１２との間に挿入されると、ツメ１１ｃは自然に孔２６に嵌合される。
【００５５】
ツメ１１ｃが孔２６に嵌合されると、孔２６と平面１１ｄとが当接する。したがって、内筒２０に＋ｚ方向の力を加えたとしても、内筒２０がケース１１から外れないようにすることができる。
【００５６】
フランジ部１２ｂの高さは、ツメ１１ｃの高さより高い位置にある。したがって、ツメ１１ｃは、筒部１２ａ及びフランジ部１２ｂにより覆われる。このように、ツメ１１ｃ及び孔２６を保護することで、工具等でツメ１１ｃを押すこと等によりツメ１１ｃを孔２６から外せないようにする、すなわち内筒２０をケース１１から外せないようにすることができる。
【００５７】
内筒２０がケース１１に取り付けられた状態では、平面１１ｅの外側の面と板部２５の内側の面とが当接し（図８参照）、円筒部２４の外周面と筒部１２ａの内周面とが当接する（図９参照）。
【００５８】
次に、フィルタエレメント３０を内筒２０に沿って挿入する。突起２１ａ、２１ｂ、２１ｃ、２１ｄが凹部３２ａ、３２ｂ、３２ｃ、３２ｄと嵌合するようにフィルタエレメント３０を回転させ、突起２１ａ、２１ｂ、２１ｃ、２１ｄと凹部３２ａ、３２ｂ、３２ｃ、３２ｄとが嵌合したら、フィルタエレメント３０を下方向（−ｚ方向）に移動させる。このとき、内筒２０は、濾材３１及び下端部材３３の内部に挿入される。なお、フィルタエレメント３０は、フランジ部２３の底面２３ａが凹部１２ｄに当接するまで、下方向に移動される。
【００５９】
フィルタエレメント３０が下方向に移動されると、突起２１ａ、２１ｂ、２１ｃ、２１ｄと凹部３３ａ、３３ｂ、３３ｃ、３３ｄとが嵌合し、リブ３３Ａが筒部１２ｃと円筒部２２との間に挿入される。このように、突起２１ａ、２１ｂ、２１ｃ、２１ｄと凹部３２ａ、３２ｂ、３２ｃ、３２ｄと凹部３３ａ、３３ｂ、３３ｃ、３３ｄとにより、フィルタエレメント３０が内筒２０に対して位置決めされる。このとき、リブ３３Ａの内周面３３ｅは、円筒部２２の外周面に沿って挿入され、リブ３３Ａの外周面３３ｆは、筒部１２ｃの内周面に沿って挿入される。
【００６０】
また、突起２１ｄ、凹部３２ｄ、３３ｄは、中心軸Ａ１を中心に線ｘ１を角度θだけ回転させた線ｘ２上に形成されるが、角度θは小さいため、突起２１ｄ、凹部３２ｄ、３３ｄが線ｘ２上に形成されていることがわかりにくい。したがって、突起２１ｄ、凹部３２ｄ、３３ｄが線ｘ１上に形成されている模造品が、内筒２０に取り付けられることを防止することができる。
【００６１】
フィルタエレメント３０が内筒２０に設けられると、内筒２０は濾材３１の内周面に沿って設けられる。
【００６２】
リブ３３Ａの内周面３３ｅには凹部３３ｈが形成され、凹部３３ｈにはシール部材４１が設けられている。したがって、リブ３３Ａが筒部１２ｃと円筒部２２との間に挿入されると、シール部材４１が円筒部２２により弾性変形され、内筒２０と下端部材３３との間から濾過前の液体が漏れることが防止される。
【００６３】
内筒２０及びリブ３３Ａの内周面３３ｅは、中心軸Ａ１を中心とするが、リブ３３Ａの外周面３３ｆ及び筒部１２ｃは、中心軸Ａ２を中心とする。そのため、回転方向の位置が正しくないと、下端部材３３を筒部１２ｃに挿入することができない。しかしながら、突起２１ａ、２１ｂ、２１ｃ、２１ｄと凹部３２ａ、３２ｂ、３２ｃ、３２ｄと凹部３３ａ、３３ｂ、３３ｃ、３３ｄとにより、フィルタエレメント３０が内筒２０に対して位置決めされているため、リブ３３Ａを筒部１２ｃと円筒部２２との間に確実に挿入することができる。
【００６４】
このように組み立てられたフィルタ装置１の作用について図１を用いて説明する。図１の矢印は、フィルタ装置１における液体の流れを示す。図示しない流入部からケース組立体１０とフィルタエレメント３０との間に流入した濾過前の液体は、フィルタエレメント３０で濾過され、孔２０ａを通って内筒２０の内側に流入する。濾過後の液体は、内筒２０の内側から図示しない流出部を通ってフィルタ装置１外部へ流出する。
【００６５】
本実施の形態によれば、ツメ１１ｃを用いて内筒２０をケース１１に一体化するため、内筒２０をケース１１に容易に取り付けることができ、かつ内筒２０がケース１１から外れないようにすることができる。例えば、内筒２０をケース１１から取り外されてしまうと、濾過前の液体が濾過後の液体と混ざってしまい、フィルタ装置１の性能が発揮できなくなってしまう。しかしながら、内筒２０を取り外せないようにすることで、このような不具合を防止することができる。
【００６６】
また、本実施の形態によれば、突起２１ａ、２１ｂ、２１ｃ、２１ｄと凹部３２ａ、３２ｂ、３２ｃ、３２ｄと凹部３３ａ、３３ｂ、３３ｃ、３３ｄとにより、回転方向の位置決め効果と共に、模造品が取り付けられることを防止する効果が得られる。例えば、内筒２０に突起２１ａ、２１ｂ、２１ｃ、２１ｄが形成されているため、凹部３２ａ、３２ｂ、３２ｃ、３２ｄや凹部３３ａ、３３ｂ、３３ｃ、３３ｄが形成されていないフィルタエレメントの取り付けが防止される。
【００６７】
また、本実施の形態によれば、筒部１２ｃ及び下端部材３３の外周面３３ｆ、３３ｇの中心軸Ａ２の位置と内筒２０の中心軸Ａ１の位置とが異なるため、内筒２０の中心軸Ａ１に対してオフセットされていない外周面を有する下端部材を有するフィルタエレメントの取り付けを防止することができる。突起２１ａ、２１ｂ、２１ｃ、２１ｄと、凹部３２ａ、３２ｂ、３２ｃ、３２ｄ及び凹部３３ａ、３３ｂ、３３ｃ、３３ｄを嵌合させることと、中心軸Ａ１の位置と中心軸Ａ２の位置とをずらすこと、との両方を行うことで、模造品の取り付け防止効果をより高くすることができる。
【００６８】
なお、本実施の形態では、突起２１ａ、２１ｂ、２１ｃ、２１ｄと凹部３２ａ、３２ｂ、３２ｃ、３２ｄと凹部３３ａ、３３ｂ、３３ｃ、３３ｄとは略円弧形状であるが、突起２１ａ、２１ｂ、２１ｃ、２１ｄと凹部３２ａ、３２ｂ、３２ｃ、３２ｄと凹部３３ａ、３３ｂ、３３ｃ、３３ｄとの形状はこれに限定されない。また、中心軸Ａ１に対して中心軸Ａ２をずらす方向及び位置もこれに限定されない。
【００６９】
また、本実施の形態では、円筒部２４及び板部２５が受け部１１ｂ及び筒部１２ａに沿って挿入され、ツメ１１ｃが孔２６に嵌合されることで、内筒２０がケース１１に取り付けられるが、ツメ１１ｃの位置、大きさ、形状等はこれに限られない。例えば、受け部１１ｂの内周面に内側に向けて突出するツメを形成し、内筒２０に受け部１１ｂの内周面に当接する筒部を形成し、この筒部にツメと嵌合する孔を形成してもよい。
【００７０】
＜第２の実施の形態＞
本発明の第１の実施の形態では、内筒２０をケース１１に取り付けるときに、円筒部２４を受け部１１ｂ及び筒部１２ａに沿って挿入した、すなわちケース１１に形成されたリブで内筒２０を挟み込んだが、内筒２０をケース１１に取り付ける方法はこれに限られない。図１０は、変形例にかかるフィルタ装置２の概略を示す斜視図である。フィルタ装置１とフィルタ装置２とは、内筒の形状のみが異なり、その他は同一である。この同一の部分については、同一の符号を付し、説明を省略する。
【００７１】
フィルタ装置２は、主として、ケース組立体１０と、内筒２０Ａと、フィルタエレメント３０と、を有する。なお、図１０においては、説明のため、フィルタ装置２をｙｚ平面で切断している。
【００７２】
内筒２０Ａは、全体として略円筒形状であり、主として、本体部２１と、円筒部２２と、フランジ部２３と、円筒部２４と、板部２５と、孔２６と、円筒部２７と、を有する。
【００７３】
円筒部２７は、円筒部２４と同様に、フランジ部２３の端面から−ｚ方向に突出するように形成される略円筒形状の部材である。円筒部２７の直径は、円筒部２４より小さい。
【００７４】
なお、円筒部２７の大きさや形状はこれに限定されない。例えば、円筒部２７は、周方向の一部が切断されていてもよい。
【００７５】
円筒部２４の内周面は、受け部１１ｂの外周面と当接し、円筒部２７の外周面は受け部１１ｂの内周面と当接する。そのため、内筒２０Ａを下方向（−ｚ方向）に移動させると、円筒部２４が受け部１１ｂと受け部１２との間に挿入され、かつ受け部１１ｂが円筒部２４と円筒部２７との間に挿入される。その結果、内筒２０Ａをケース１１に取り付けた状態においては、内筒２０Ａに形成した２つのリブ（円筒部２４及び円筒部２７）でケース１１のリブ（受け部１１ｂ）を挟み込んでいる。
【００７６】
本実施の形態によれば、リブ状の円筒部２７を形成することで、内筒２０Ａをケース１１に取り付けたときに、内筒２０Ａのがたつきを抑え、内筒２０Ａの中心軸が傾くことを防止することができる。また、円筒部２４と円筒部２７とで受け部１１ｂを挟み込むことで、受け部１１ｂの割れ、変形等を防止し、内筒２０Ａの取り付け部分の強度を高くすることができる。
【００７７】
なお、本実施の形態では、リブとして略円筒形状の円筒部２７を形成したが、リブの形態はこれに限られない。例えば、内筒に、フランジ部２３の端面から−ｚ方向に突出する複数本の棒を形成して、これをリブとすることもできる。棒の形状は、丸棒、板状の棒等、さまざまな形状の棒とすることができる。そして、棒と円筒部２４とで受け部１１ｂを挟み込むことで、内筒２０Ａのがたつきを抑え、内筒２０Ａの取り付け部分の強度を高くすることができる。
【００７８】
なお、ケース１１、フィルタエレメント３０、及び内筒２０、２０Ａは略筒形状であればよく、略円筒形状である必要はない。
【００７９】
以上、この発明の実施形態を、図面を参照して詳述してきたが、具体的な構成はこの実施形態に限られるものではなく、この発明の要旨を逸脱しない範囲の設計変更等も含まれる。例えば、上記の実施例は本発明を分かりやすく説明するために詳細に説明したものであり、必ずしも説明した全ての構成を備えるものに限定されるものではない。また、実施形態の構成の一部を他の実施形態の構成に置き換えることが可能であり、また、実施形態の構成に他の構成の追加、削除、置換等をすることが可能である。
【００８０】
また、本発明において、「略」とは、厳密に同一である場合のみでなく、同一性を失わない程度の誤差や変形を含む概念である。例えば、「略直交」とは、厳密に直交の場合には限られず、例えば数度程度の誤差を含む概念である。また、例えば、単に直交、平行、一致等と表現する場合において、厳密に直交、平行、一致等の場合のみでなく、略平行、略直交、略一致等の場合を含むものとする。
【００８１】
また、本発明において「近傍」とは、基準となる位置の近くのある範囲（任意に定めることができる）の領域を含むことを意味する。例えば、端近傍という場合に、端の近くのある範囲の領域であって、端を含んでもいても含んでいなくてもよいことを示す概念である。
【符号の説明】
【００８２】
１          ：フィルタ装置
１０        ：ケース組立体
１１        ：ケース
１１ａ      ：底面
１１ｂ      ：受け部
１１ｃ      ：ツメ
１１ｄ      ：平面
１１ｅ      ：平面
１２        ：受け部
１２ａ      ：筒部
１２ｂ      ：フランジ部
１２ｃ      ：筒部
１２ｄ      ：凹部
２０、２０Ａ：内筒
２０ａ      ：孔
２１        ：本体部
２１ａ      ：突起
２１ｂ      ：突起
２１ｃ      ：突起
２１ｄ      ：突起
２２        ：円筒部
２３        ：フランジ部
２３ａ      ：底面
２４        ：円筒部
２５        ：板部
２６        ：孔
２７        ：円筒部
３０        ：フィルタエレメント
３１        ：濾材
３２        ：上端部材
３２ａ      ：凹部
３２ｂ      ：凹部
３２ｃ      ：凹部
３２ｄ      ：凹部
３３        ：下端部材
３３Ａ      ：リブ
３３Ｂ      ：フランジ部
３３ａ      ：凹部
３３ｂ      ：凹部
３３ｃ      ：凹部
３３ｄ      ：凹部
３３ｅ      ：内周面
３３ｆ      ：外周面
３３ｇ      ：外周面
３３ｈ      ：凹部
４１        ：シール部材
【図１】
0006574107.tif 000002
【図２】
0006574107.tif 000003
【図３】
0006574107.tif 000004
【図４】
0006574107.tif 000005
【図５】
0006574107.tif 000006
【図６】
0006574107.tif 000007
【図７】
0006574107.tif 000008
【図８】
0006574107.tif 000009
【図９】
0006574107.tif 000010
【図１０】
0006574107.tif 000011